(57)【要約】【課題】見る角度に影響されずに、額装している絵画、写真等を正確かつ明確に鑑賞することが可能なパネルを提供すること。【解決手段】複数本の長尺状のフレーム材を四角形状に枠組みすることにより形成されるフレーム２と、該フレーム２内に支持される裏板４と、該裏板４の正面側に重ね合わされる配置で、前記フレーム２内に支持される、前記裏板４とともに、写真、絵画等を挟み込むための透明体３と、を具備するパネル１において、前記透明体３として、ＵＶカット用再生ＰＥＴフィルムの表面に凹凸処理を施したものを用いたことを特徴としており、これにより、透明体３の表面に当たった光が乱反射することを防止可能であるため、パネルを変形させることなく、見る角度によって額装している絵画、写真等が見えづらくなることを防止して、絵画、写真等を正確かつ明確に鑑賞することが可能である。【選択図】図１
0003160375.tif 000002
【実用新案登録請求の範囲】
【請求項１】
複数本の長尺状のフレーム材を略多角形状に枠組みすることにより形成されるフレーム（２）と、
該フレーム（２）内に支持される裏板（４）と、
該裏板（４）の正面側に重ね合わされる配置で、前記フレーム（２）内に支持される、前記裏板（４）とともに、写真、絵画等を挟み込むための透明体（３）と、を具備するパネル（１）において、
前記透明体（３）として、低反射機能を発揮可能なフィルムを用いたことを特徴とするパネル。
【請求項２】
前記透明体（３）がＵＶカット用再生ＰＥＴフィルムの表面に凹凸処理を施したものであることを特徴とする請求項１に記載のパネル。
【考案の詳細な説明】
【技術分野】
【０００１】
本考案は、略四角形状に枠組みされたフレームとこのフレームの内周に支持された透明体及び裏板とを備え、絵画、写真等を額装して掲示するためのパネルに係り、より詳しくは、透明体が光を乱反射してしまい、見る角度によって額装している絵画、写真等が見えづらくなることを有効に防止可能としたパネルに関する。
【背景技術】
【０００２】
従来から、絵画、写真等を壁等に飾るためのものとしてパネルが提供されている。そして、このパネルは一般的に、複数本の長尺状のフレーム材を四角形状に枠組みすることにより形成されるフレームを有しており、このフレームの内周側には、額装する絵画、写真等を裏面から支持するための裏板が係止されている。
【０００３】
また、裏板の正面側には、裏板に重ねられる配置で、透明体が、フレームの内周側に係止されており、裏板と透明体とで絵画、写真等を挟み込み、この状態で更に、裏板をフレームに固定するためにフレームの裏面に備えたトンボ等の裏板押え具を回動して裏板を押さえることで裏板、透明体をフレーム内周に固定し、これによって、フレームの内周に絵画、写真等を額装可能としている。
【０００４】
ここで、一般的にパネルにおける透明体は、額装する絵画、写真等を保護しつつ裏板とともにフレームの内周に支持するために用いられているが、そのとき透明体は、額装する絵画、写真等の正面側に配置されるために当然、額装している絵画、写真等を鑑賞可能でなければならないため、透明な樹脂フィルムやガラス等が用いられる。
【０００５】
その一方、特に樹脂フィルム等の場合には、蛍光灯の光や、自然光が乱反射してしまうために、見る角度によっては、額装している絵画、写真等が見えづらいという問題点が指摘されている。
【０００６】
そのために、本考案者は過去において、パネルを湾曲させて、これにより当たった光の乱反射を防止する方法を提案した。
【先行技術文献】
【特許文献】
【０００７】
【特許文献１】実用新案登録第３０９６４４３号公報
【考案の概要】
【考案が解決しようとする課題】
【０００８】
しかしながら、パネルを湾曲させた場合には当然、額装している絵画、写真等もパネルの内周側で変形してしまうために、特に高額の絵画、写真等である場合には価値が下がってしまうことも考えられ、更に、絵画、写真等を正確に見ることができなくなってしまうことも考えられる。
【０００９】
そこで、本考案は、見る角度に影響されずに、額装している絵画、写真等を正確かつ明確に鑑賞することが可能なパネルを提供することを課題としている。
【課題を解決するための手段】
【００１０】
本考案のパネルは、
複数本の長尺状のフレーム材を略多角形状に枠組みすることにより形成されるフレームと、
該フレーム内に支持される裏板と、
該裏板の正面側に重ね合わされる配置で、前記フレーム内に支持される、前記裏板とともに、写真、絵画等を挟み込むための透明体と、を具備するパネルにおいて、
前記透明体として、低反射機能を発揮可能なフィルムを用いたことを特徴としている。
【考案の効果】
【００１１】
本考案のパネルでは、低反射機能を発揮可能なフィルムを透明体として用いており、これによって、透明体に当たった光の反射が低反射になり、額装している絵画、写真等が見えづらくなることを防止可能である。
【００１２】
このように、本考案のパネルでは、パネルを変形させることなく、当たった光の反射を低反射にしているために、見る角度に影響されずに、額装している絵画、写真等を正確かつ明確に鑑賞することが可能である。
【図面の簡単な説明】
【００１３】
【図１】本考案のパネルの実施例の正面を示す断面図である。
【図２】本考案のパネルの実施例の裏面を示す断面図である。
【図３】図１におけるＡ−Ａ線断面図である。
【考案を実施するための形態】
【００１４】
本考案のパネルでは、長尺状のフレーム材を四角形状に枠組みすることによってフレームが形成されている。
【００１５】
そして、このフレームの内周側には、額装する絵画、写真等を裏面から支持するための裏板が支持されている。
【００１６】
また、前記フレーム内において前記裏板の正面側には、裏板に重ね合わされる配置で透明体が支持されており、この透明体と前記裏板とで絵画、写真等を挟みこむことによって、パネルに絵画、写真等を額装可能としている。
【００１７】
そして、本考案においては、前記透明体として、低反射機能を発揮可能なフィルムを用いている。
【００１８】
ここで、前記透明体として用いる低反射機能を発揮可能なフィルムとしては、低反射を発揮可能なフィルムであれば何れでも良いが、特に、ＵＶカット用再生ＰＥＴフィルムの表面に凹凸処理を施したものを用いるとよい。
【実施例１】
【００１９】
本考案のパネルの実施例について図面を参照して説明すると、図１は、本実施例のパネルの正面図であり、また、図２は本実施例のパネルの背面図であり、更に図３は、図１におけるＡ−Ａ線断面構造を拡大して示した図であり、図において１が本実施例のパネルである。また、図１、３において５は、パネル１に挿装した絵画、写真等の掲示物である。
【００２０】
そして、本実施例のパネル１は、図に示すように、全体として略四角形状としている。即ち、本実施例のパネル１では、４本の長尺状のフレーム材を略四角形状に枠組みすることによりフレーム２が形成されている。
【００２１】
そして、このフレーム２の内周には、裏板４および透明体３が支持され、この裏板４と透明体３間に絵画、写真等５を挟み込むとともに、前記フレーム２に回動自在に装着した、「とんぼ」といわれる係止部材８を回動することで裏板４をフレーム２に係止することによって、パネル１に絵画、写真等５を額装可能としている。
【００２２】
ここで、図３において、前記フレーム２には、その裏面において、内周側全域に亘って段差状の載置部２０１が形成されており、この載置部２０１上に、透明体３および裏板４の周縁部を載置可能としている。
【００２３】
そして、前記載置部２０１上に透明体３の周縁部を載置するとともに、この透明体３に重ね合わせるような配置で、裏板４の周縁部を前記載置部２０１上に載置して、更に、裏板４をとんぼ等の係止部材８でフレーム２に係止して、これによりフレーム２内に裏板４および透明体３を支持可能としている。そして、絵画、写真等の額装に際しては、透明体３と裏板４間に、写真、絵画等５を挟み込むこととしている。
【００２４】
次に、本実施例のパネル１において前記透明体３は、低反射機能を発揮可能なフィルムを用いており、より詳しくは、ＵＶカット用再生ＰＥＴフィルムの表面に凹凸処理を施したものを用いて構成されており、これによって、透明体３の表面に当たった光の反射を低反射にして、見る角度によって額装している絵画、写真等が見えづらくなることを防止している。
【００２５】
即ち、近年、エコ対応品として、リサイクル原料で製造した再生ＰＥＴフィルムが提供されており、また、フィルム製造工程でＵＶカット材を配合して、紫外線の透過率を抑えて掲示物の紫外線劣化を少なくする効果を発揮するＵＶカットフィルムが提供されているが、本考案者は、これらの再生ＰＥＴフィルムやＵＶカットフィルムの存在に着目して、ＵＶカット用再生ＰＥＴフィルムの表面に凹凸処理を施し、これにより低反射機能を発揮可能なフィルムにしたものを、パネルの透明体に用いることとした。
【００２６】
そのため、本実施例のパネル１では、エコ対応品であるとともに、紫外線の透過率を抑えて掲示物の紫外線劣化を少なくすることができ、更に、フィルムの表面に凹凸処理を施して低反射機能を発揮可能にしているため、当たった光を乱反射させて表面の反射を抑え、それによって掲示物を見やすくすることができ、見る角度によって額装している絵画、写真等が見えづらくなることを有効に防止できるため、特に、パネルを変形させることなく、見る角度に影響されずに、額装している絵画、写真等を正確かつ明確に鑑賞することが可能なパネルを得ることが可能である。
【００２７】
なお、フィルム表面に凹凸処理を施した場合には、光を乱反射させて表面の反射を抑えて掲示物を見やすくする効果、即ち、フィルムが低反射になる効果があるが、その反面、透過率が悪くなり掲示物の鮮明度が落ちるという欠点がある。しかし、パネルにおいては、透明体と掲示物が密着されるために、使用上は問題になることがない。
【００２８】
次に、このように構成される本実施例のパネルの使用方法及び作用について説明すると、本実施例のパネルで絵画、写真等を額装する場合には、トンボ等の係止部材８を回動し、これによって、裏板４をフレーム２に対してフリーな状態にした後に、裏板４をフレーム２の内周から取り外す。
【００２９】
そしてその後に、透明体３の裏面側に、額装する絵画、写真等を重ね合わせて、その状態において、前記裏板４を、透明体３とともに絵画、写真等を挟み込むような配置にして、フレーム２の内周に支持し、その状態で、前記係止部材８を回動して裏板４をフレーム２に係止するのみでよく、これによって、パネル１に絵画、写真等５を額装することができる。
【００３０】
そして、この状態において、蛍光灯の光や自然光が透明体３の表面に当たった場合には、本実施例のパネル１では、透明体３として、ＵＶカット用再生ＰＥＴフィルムの表面に凹凸処理を施して低反射フィルムにしたものを用いているために、透明体３に当たった光が乱反射して表面の反射を抑えて掲示物を見やすくすることができる。
【００３１】
従って、本実施例のパネルでは、見る角度によって額装している絵画、写真等が見えづらくなることを有効に防止でき、特に、パネルを変形させることなく、見る角度に影響されずに、額装している絵画、写真等を正確かつ明確に鑑賞することが可能なパネルを得ることが可能である。
【００３２】
また、本実施例のパネル１では、エコ対応品になるとともに、紫外線の透過率を抑えて掲示物の紫外線劣化を少なくすることができ、更に、額装している絵画、写真等は透明体に密着されるため、鮮明度が大きく落ちることも無い。
【００３３】
このように、本実施例のパネル１では、裏板とともに絵画、写真等を保護しつつフレーム内に支持するための透明体として、ＵＶカット用再生ＰＥＴフィルムの表面に凹凸処理を施して低反射にしたものを用いているために、パネルを変形させることなく、見る角度に影響されずに、額装している絵画、写真等を正確かつ明確に鑑賞することが可能であるとともに、エコ対応品になるとともに、紫外線の透過率を抑えて掲示物の紫外線劣化を少なくすることができる。
【産業上の利用可能性】
【００３４】
本考案のパネルでは、ＵＶカット用再生ＰＥＴフィルムの表面に凹凸処理を施して低反射にしたフィルムを透明体として用いて、これによって、透明体に当たった光が乱反射して額装した絵画、写真等が見えづらくなることを防止したことを特徴としているために、とんぼ等の係止手段によって裏板をフレームに係止する、いわゆる一般的なパネルの他に、フレーム自体を回動して写真、絵画等を収納可能なフロントオープン式のパネル等の、絵画、写真、賞状等を額装して掲示するパネルの全般に適用可能である。
【符号の説明】
【００３５】
１    パネル
２    フレーム
２０１    載置部
３    裏板
４    透明体
５    絵画等
８    係止部材（「とんぼ」）
【図１】
0003160375.tif 000003
【図２】
0003160375.tif 000004
【図３】
0003160375.tif 000005
【手続補正書】
【提出日】平成22年4月12日(2010.4.12)
【手続補正１】
【補正対象書類名】実用新案登録請求の範囲
【補正対象項目名】請求項１
【補正方法】変更
【補正の内容】
【請求項１】
複数本の長尺状のフレーム材を略多角形状に枠組みすることにより形成されるフレーム（２）と、
該フレーム（２）内に支持される裏板（４）と、
該裏板（４）の正面側に重ね合わされる配置で、前記フレーム（２）内に支持される、前記裏板（４）とともに、写真、絵画を挟み込むための透明体（３）と、を具備するパネル（１）において、
前記透明体（３）として、低反射機能を発揮可能なフィルムを用いたことを特徴とするパネル。